(57)【要約】  照明デバイス１００は、電力によって駆動されるように構成されている、光源１０４と、エネルギー貯蔵ユニット１０６であって、電気エネルギーを貯蔵し、電力インタフェースから電力を受電するように、並びに、受電された電力を電気エネルギーとして貯蔵するように、並びに、電気エネルギーを光源に、及び、接続状態において、エネルギー貯蔵ユニット１０６と、電力インタフェース１０８に接続されることが可能な外部電気駆動デバイス１０２の外部第２エネルギー貯蔵ユニット１１０との間の、エネルギー伝送動作を可能にする、電力インタフェース１０８に供給するように構成されている、エネルギー貯蔵ユニット１０６と、電力インタフェース１０８が接続状態にあるか否かを判定し、照明デバイス１００の現在の光出力状態を判定するように、及び、接続状態において、照明デバイス１００の現在の光出力状態に応じたエネルギー伝送方向に、エネルギー伝送動作を制御するように構成されている、制御ユニット１１６とを備える。  照明デバイス１００は、電力によって駆動されるように構成されている、光源１０４と、エネルギー貯蔵ユニット１０６であって、電気エネルギーを貯蔵し、電力インタフェースから電力を受電するように、並びに、受電された電力を電気エネルギーとして貯蔵するように、並びに、電気エネルギーを光源に、及び、接続状態において、エネルギー貯蔵ユニット１０６と、電力インタフェース１０８に接続されることが可能な外部電気駆動デバイス１０２の外部第２エネルギー貯蔵ユニット１１０との間の、エネルギー伝送動作を可能にする、電力インタフェース１０８に供給するように構成されている、エネルギー貯蔵ユニット１０６と、電力インタフェース１０８が接続状態にあるか否かを判定し、照明デバイス１００の現在の光出力状態を判定するように、及び、接続状態において、照明デバイス１００の現在の光出力状態に応じたエネルギー伝送方向に、エネルギー伝送動作を制御するように構成されている、制御ユニット１１６とを備える。
2020527281.tif 000002
【特許請求の範囲】
【請求項１】
照明デバイスであって、
電力によって駆動されるように構成されている、光源と、
電力インタフェースに接続されることが可能な外部電気駆動デバイスとのエネルギー伝送のための、前記電力インタフェースと、
エネルギー貯蔵ユニットであって、前記電力インタフェースを介して電力を受電し、受電された電力を電気エネルギーとして貯蔵するように、並びに、貯蔵された電気エネルギーを前記電力として前記光源に、及び前記電力インタフェースに供給するように、並びに、前記電力インタフェースが接続状態にあるように、前記外部電気駆動デバイスが前記電力インタフェースに接続されている場合に、前記電力インタフェースを介する、前記エネルギー貯蔵ユニットと前記外部電気駆動デバイスの外部第２エネルギー貯蔵ユニットとの間のエネルギー伝送動作を、制御可能なエネルギー伝送方向で可能にするように構成されている、エネルギー貯蔵ユニットと、
前記電力インタフェースが前記接続状態にあるか否かを判定し、前記照明デバイスの現在の光出力状態を判定し、前記接続状態において、前記照明デバイスの前記現在の光出力状態に応じて、前記エネルギー伝送動作の前記エネルギー伝送方向を制御するように構成されている、制御ユニットと、を備え、前記照明デバイスの前記現在の光出力状態が、前記照明デバイスの前記光源の動作状態である、照明デバイス。
【請求項２】
前記制御ユニットが、前記エネルギー貯蔵ユニット内に貯蔵されている電気エネルギーの量を示す、エネルギー貯蔵レベルを判定し、前記接続状態において、前記エネルギー貯蔵レベルに更に応じて、前記エネルギー伝送動作を制御するように構成されている、請求項１に記載の照明デバイス。
【請求項３】
ユーザ入力を受信し、前記ユーザ入力を示すユーザ入力信号を供給するように構成されている、ユーザインタフェースを更に備え、前記制御ユニットが、前記ユーザ入力信号を受信し、前記接続状態において、受信された前記ユーザ入力信号に更に応じて前記エネルギー伝送動作を制御するように、更に構成されている、請求項１に記載の照明デバイス。
【請求項４】
前記ユーザインタフェースが、既定の直立位置に対する前記照明デバイスの傾斜角度を示す傾斜信号として、前記ユーザ入力信号を生成するように構成されている、傾斜センサを含み、
前記制御ユニットが、前記傾斜信号を受信するように、並びに、前記接続状態において、前記傾斜角度が、既定の第１の期間にわたって、既定の第１の角度間隔にあることを判定すると、前記エネルギー伝送動作を開始するように、及び、前記傾斜角度が、既定の第２の期間にわたって、既定の第２の角度間隔にあることを判定すると、前記エネルギー伝送動作を停止するように構成されている、
請求項３に記載の照明デバイス。
【請求項５】
前記制御ユニットが、
前記照明デバイスの前記現在の光出力状態を、前記エネルギー貯蔵ユニットから前記光源に電力が供給されないオフ状態、及び、前記エネルギー貯蔵ユニット内に貯蔵された前記エネルギーを使用して前記光源が駆動されるオン状態のうちの一方として判定するように、並びに、
前記現在の光出力状態が前記オン状態である場合には、前記エネルギー貯蔵ユニットから前記第２エネルギー貯蔵ユニットへの、第１のエネルギー伝送方向を設定するように、及び、前記現在の光出力状態が前記オフ状態である場合には、前記第２エネルギー貯蔵ユニットから前記エネルギー貯蔵ユニットへの、第２のエネルギー伝送方向を設定するように構成されている、請求項１に記載の照明デバイス。
【請求項６】
前記光源が、制御可能な光強度を有する光を放出するように構成されており、
前記制御ユニットが、現在の光強度値を、前記光出力状態として判定し、前記現在の光強度値が、既定の第１の光強度間隔の範囲内にある場合には、前記エネルギー貯蔵ユニットから前記第２エネルギー貯蔵ユニットへの、第１のエネルギー伝送方向を設定するように、及び、前記現在の光強度値が、前記第１の光強度間隔とは異なる既定の第２の光強度間隔の範囲内にある場合には、前記第２エネルギー貯蔵ユニットから前記エネルギー貯蔵ユニットへの、第２のエネルギー伝送方向を設定するように更に構成されている、
請求項１に記載の照明デバイス。
【請求項７】
前記光源が、複数の照明要素を含み、前記複数の照明要素が、それぞれの異なる波長スペクトルを有し、かつそれぞれの制御可能な光強度を有する光を放出するように構成されており、
前記制御ユニットが、前記複数の照明要素のそれぞれの現在の光強度値を使用して、現在の光色値を前記光出力状態として判定し、前記接続状態において、前記現在の光色値に応じて前記エネルギー伝送方向を設定するように構成されている、
請求項１に記載の照明デバイス。
【請求項８】
前記制御ユニットが、現在の前記エネルギー伝送方向を示す出力を供給するよう、前記光源を制御するように、更に構成されている、請求項１に記載の照明デバイス。
【請求項９】
電力分配システムであって、
請求項１に記載の照明デバイスと、
電気駆動デバイスであって、
前記照明デバイスの前記電力インタフェースに接続されるように構成されている、第２の電力インタフェースと、
前記第２の電力インタフェースに接続されており、電気エネルギーを貯蔵するように、及び、前記照明デバイスに電力を供給するように、及び、前記照明デバイスから電力を受電するように構成されている、第２エネルギー貯蔵ユニットと、を含む、電気駆動デバイスと、
前記照明デバイスの前記電力インタフェースに、及び前記電気駆動デバイスの前記第２の電力インタフェースに電気的に接続して、前記照明デバイスの前記エネルギー貯蔵ユニットと前記電気駆動デバイスの前記第２エネルギー貯蔵ユニットとの間の前記エネルギー伝送動作を可能にするように構成されている、エネルギー伝送手段と、を備える、電力分配システム。
【請求項１０】
前記電力インタフェース及び前記第２の電力インタフェースが、ＵＳＢ  Ｔｙｐｅ  Ｃコネクタユニットであり、前記エネルギー伝送手段が、ＵＳＢ  Ｔｙｐｅ  Ｃケーブルと、対応する前記ＵＳＢ  Ｔｙｐｅ  Ｃコネクタユニットに接続するように構成されている２つのＵＳＢ  Ｔｙｐｅ  Ｃコネクタとを含む、請求項９に記載の電力分配システム。
【請求項１１】
照明デバイスの動作を制御するための方法であって、前記照明デバイスが、電力によって駆動されるように構成されている、光源と、電力インタフェースに接続されることが可能な外部電気駆動デバイスとのエネルギー伝送のための、前記電力インタフェースと、エネルギー貯蔵ユニットであって、前記電力インタフェースを介して電力を受電し、受電された電力を電気エネルギーとして貯蔵するように、並びに、貯蔵された電気エネルギーを前記電力として前記光源に、及び前記電力インタフェースに供給するように、並びに、前記電力インタフェースが接続状態にあるように、前記外部電気駆動デバイスが前記電力インタフェースに接続されている場合に、前記電力インタフェースを介する、前記エネルギー貯蔵ユニットと前記外部電気駆動デバイスの外部第２エネルギー貯蔵ユニットとの間のエネルギー伝送動作を、制御可能なエネルギー伝送方向で可能にするように構成されている、エネルギー貯蔵ユニットと、を有し、前記方法は、
前記電力インタフェースが前記接続状態にあるか否かを判定するステップと、
前記照明デバイスの現在の光出力状態を判定するステップであって、前記照明デバイスの前記現在の光出力状態が、前記照明デバイスの前記光源の動作状態である、ステップと、
前記接続状態において、前記照明デバイスの前記現在の光出力状態に応じたエネルギー伝送方向に、前記エネルギー伝送動作を制御するステップと、を含む、方法。
【請求項１２】
前記エネルギー貯蔵ユニット内に貯蔵されている電気エネルギーの量を示す、エネルギー貯蔵レベルを判定するステップと、
前記接続状態において、前記エネルギー貯蔵レベルに更に応じて、前記エネルギー伝送動作を制御するステップと、
を更に含む、請求項１１に記載の方法。
【請求項１３】
前記光出力状態を判定するステップが、
前記照明デバイスの前記現在の光出力状態を、前記エネルギー貯蔵ユニットから前記光源に電力が供給されないオフ状態、及び、前記エネルギー貯蔵ユニット内に貯蔵された前記エネルギーを使用して、前記光源が駆動されるオン状態のうちの一方として判定するステップ、又は、
前記照明デバイスの前記光源の現在の光強度を判定するステップ、又は、
前記照明デバイスの前記光源の現在の光色を判定するステップ、を含む、請求項１１に記載の方法。
【請求項１４】
現在の前記エネルギー伝送方向を示す出力を供給するよう、前記光源を制御するステップを更に含む、請求項１１に記載の方法。
【請求項１５】
照明デバイスの動作を制御するためのコンピュータプログラムであって、コンピュータのプロセッサによって実行される場合に、請求項１１に記載の方法を実行するための、実行可能コードを含む、コンピュータプログラム。
【発明の詳細な説明】
【技術分野】
【０００１】
本発明は、照明デバイス、照明デバイスを動作させるための方法、照明デバイスを備える電力分配システム、及びコンピュータプログラムに関する。
【背景技術】
【０００２】
米国特許出願公開第２０１７／００６０２０７（Ａ１）号は、スマートフォン、スピーカ、タブレット、又は腕時計などのポータブルデバイスのユーザが、双方向エネルギー伝送インタフェースを有する２つのデバイスが相互接続される場合の充電方向を規定する、エネルギーの双方向伝送を説明している。デバイスは、ユーザのジェスチャを検出して、規定された方向へのエネルギー伝送を開始する。ユーザはまた、同じジェスチャによって、伝送される充電量を規定してもよい。
【０００３】
欧州特許第３００７３１１（Ａ２）号は、充電ケーブル又は放電ケーブルが接続されることが可能な接続端子と、接続端子に充電ケーブル又は放電ケーブルが接続されていることに基づいて、充電又は放電の動作を制御するように構成されている、コントローラとを含む、電子デバイスを開示している。
【発明の概要】
【発明が解決しようとする課題】
【０００４】
エネルギー伝送動作を制御するためのユーザ入力を必要とすることなく、照明デバイスが電力分配システムの一部であることを可能にすることが望ましいであろう。
【課題を解決するための手段】
【０００５】
本発明の第１の態様によれば、照明デバイスは、
−電力によって駆動されるように構成されている、光源と、
−電力インタフェースに接続されることが可能な外部電気駆動デバイスとのエネルギー伝送のための、電力インタフェースと、
−エネルギー貯蔵ユニットであって、電力インタフェースを介して電力を受電し、受電された電力を電気エネルギーとして貯蔵するように、並びに、貯蔵された電気エネルギーを電力として光源に、及び電力インタフェースに供給するように、並びに、接続状態において、電力インタフェースを介した、エネルギー貯蔵ユニットと外部電気駆動デバイスの外部第２エネルギー貯蔵ユニットとの間のエネルギー伝送動作を可能にするように構成されている、エネルギー貯蔵ユニットと、
−電力インタフェースが接続状態にあるか否かを判定し、照明デバイスの現在の光出力状態を判定するように、及び、接続状態において、照明デバイスの現在の光出力状態に応じたエネルギー伝送方向に、エネルギー伝送動作を制御するように構成されている、制御ユニットとを備える。
【０００６】
本発明の第１の態様の照明デバイスは、照明デバイスが充電される必要があるか、又は、例えばモバイルバッテリなどの外部電気駆動デバイスを充電するためのエネルギーを供給することが可能な状況での、照明デバイスに関する直感的なエネルギー伝送の制御を実現する。本質的には、照明デバイスにおける、利用可能な光出力状態が、エネルギー伝送方向の事前選択を実施するために使用される。この目的のために、本発明の第１の態様の照明デバイスは、光を放出する動作に関して十分な量の電力を受電している場合に、光を放出するように電力によって駆動される、光源を備える。それゆえ、光源は、照明機能、すなわち、照明デバイスの周囲の実用的照明又は装飾的照明を実行する。光源は、１つ以上の発光体を含み得る。光源を動作させるための、またそれゆえ照明機能を実行するための電力は、電気エネルギーを貯蔵するように構成されている、照明デバイスのエネルギー貯蔵ユニットによって供給される。
【０００７】
照明機能に加えて、すなわち、照明機能を実行することと同時に、又は照明機能を実行することの代わりに、照明デバイスは、照明デバイスと外部電気駆動デバイスとの間のエネルギー伝送動作を可能にする。この目的のために、エネルギー貯蔵ユニットはまた、電力インタフェースを介した、エネルギー貯蔵ユニットと外部電気駆動デバイスの外部第２貯蔵ユニットとの間のエネルギー伝送動作を可能にするべく、照明デバイスの電力インタフェースにも接続されている。照明デバイスは、双方向エネルギー伝送、すなわち、外部第２エネルギー貯蔵ユニットからエネルギーを受け取ること、又は外部第２エネルギー貯蔵ユニットにエネルギーを供給することのいずれかを可能にする。制御ユニットは、外部電気駆動デバイスが、電力インタフェースに現在接続されているか否か、すなわち、電力インタフェースが接続状態にあるか否かを判定する。制御ユニットはまた、照明デバイスの現在の光出力状態を判定するようにも構成されている。接続状態を検出すると、制御ユニットは、照明デバイスの現在の光出力状態に応じて、エネルギー伝送動作のエネルギー伝送方向を制御する。光出力状態は、光源による現在の光出力を説明する１つ以上の量を示す、１つ以上の動作パラメータによって表されることが可能な、照明デバイスの光源の動作状態である。それゆえ、エネルギー伝送動作は、照明デバイスの現在の光出力状態を判定することに基づいて、制御ユニットによって自動的に制御されることができる。
【０００８】
以下では、本発明の第１の態様の照明デバイスの実施形態が説明される。
【０００９】
以下で説明されるように、照明デバイスの光出力状態に応じて、エネルギー伝送方向を、すなわち電力入力モードか又は電力出力モードかを、決定するために使用されることが可能な、種々の量及び条件が存在する。そのような量及び条件は、単独で、又は互いに組み合わせて使用されることができる。
【００１０】
種々の実施形態は、種々のタイプの光出力状態に応じて、エネルギー伝送動作及びその方向を制御するように構成されている。以下でより詳細に説明される、これらの実施形態のうちの一部では、エネルギー伝送方向に関して、電力受電と電力供給との間で選択するために使用されるものは、光出力状態のみである。他の実施形態では、以下で更に説明されるように、エネルギー伝送の方向を決定するために、他のパラメータ及び関連する制御基準が、光出力状態に関連付けられている制御基準と組み合わせて使用される。
【００１１】
一実施形態群では、照明デバイスの制御ユニットは、光源に関連付けられている現在の制御状態の判定を使用して、照明デバイスの現在の光出力状態を判定するように構成されている。一部の実施例では、照明デバイスによって呈され得る現在の制御状態のセットは、オフ状態及びオン状態を含むか、あるいはオフ状態及びオン状態から成る。オフ状態は、エネルギー貯蔵ユニットから光源に電力が供給されず、それにより光源が光を放出しない、光出力状態をもたらす。オン状態は、エネルギー貯蔵ユニット内に貯蔵されたエネルギーを使用して、光を放出するように光源が駆動される、光出力状態である。
【００１２】
この実施形態群の一部の変形形態で使用される制御ユニットは、エネルギー貯蔵ユニットから光源への電力の供給を検出することによって、オン状態を検出するように構成されている、電力供給検出器を含む。電力供給検出器は、例えば、エネルギー貯蔵ユニットから光源への電流の流れを検出するように構成されている。電力供給検出器の別の実施例は、光源への電力供給をオン又はオフにするための、電源スイッチの切り替え状態を判定するように構成されている。そのような電源スイッチは、ユーザ操作のために、又は内部自動制御のために、あるいは、ユーザ操作及び自動制御の双方を可能にするために設けられることができる。制御ユニット内で使用されることが可能な更に別の電力供給検出器は、光源が現在光を放出しているか否かを判定するように構成されている、光センサを含む。この目的のために、光センサは、好ましくは、照明デバイスの光源によって放出される光の検出を可能にし、かつ外部光源からの光の検出を回避するために、好適に構成されている。好適な構成は、例えば、周囲光からの光センサの遮蔽を伴い得る。
【００１３】
この実施形態群の制御ユニットは、現在の出力状態がオン状態である場合には、エネルギー貯蔵ユニットから外部第２エネルギー貯蔵ユニットへの、第１のエネルギー伝送方向を設定するように、及び、現在の出力状態がオフ状態である場合には、第２エネルギー貯蔵ユニットからエネルギー貯蔵ユニットへの、第２のエネルギー伝送方向を設定するように構成されている。
【００１４】
換言すれば、電気エネルギーの伝送は、光源がオンである（すなわち、光を放出している）場合、エネルギー貯蔵ユニットから外部電気駆動デバイスの第２エネルギー貯蔵ユニットへの方向に制御され、光源がオフである（すなわち、光を放出していない）場合、外部電気駆動デバイスの第２エネルギー貯蔵ユニットから電気エネルギーを受け取るように制御される。外部電気駆動デバイスの動作状態は、これらの実施形態のうちの一部では考慮されない。例えば、外部電気駆動デバイスを形成している携帯電話は、それゆえ、エネルギー伝送が実施されている間、オン又はオフであってもよい。
【００１５】
この種の代替的実施形態は、反対の方式でエネルギー伝送方向を制御する。そのような実施形態の制御ユニットは、現在の光出力状態がオフ状態である場合には、エネルギー貯蔵ユニットから第２エネルギー貯蔵ユニットへの、第１のエネルギー伝送方向を設定するように、及び、現在の光出力状態がオン状態である場合には、第２エネルギー貯蔵ユニットからエネルギー貯蔵ユニットへの、第２のエネルギー伝送方向を設定するように構成されている。それゆえ、これらの実施形態は、光源がオフである場合に、エネルギー貯蔵ユニットから外部電気駆動デバイスの第２エネルギー貯蔵ユニットに電気エネルギーを伝送するように、及び、光源がオンである場合に、外部電気駆動デバイスの第２エネルギー貯蔵ユニットから電気エネルギーを受け取るように構成されている。
【００１６】
他の実施形態では、制御ユニットは、光源によって放出される光の現在の光強度値を示す量から、照明デバイスの現在の光出力状態を判定する。これらの実施形態では、光源は、制御可能な光強度値を有する光を放出するように構成されている。好適には、光強度コントローラが、これらの実施形態における照明デバイス内に設けられ、所望の光強度値を達成するように光源の動作を制御する。種々の光強度値は、連続的な強度値の範囲、又は、いくつかの離散的光強度値を含み得る。光強度コントローラは、この目的のために、例えば、所望の光強度値を設定するためのポテンショメータ又は他の回路を含み得る。これらの実施形態の制御ユニットは、現在の光強度値を、光出力状態として判定する。
【００１７】
この目的のために、この実施形態の種々の変形形態の制御ユニットは、例えば、照明デバイス内に設けられている光強度コントローラの設定から、又は、光源に供給される電流を測定することによって、又は、光源によって放出される光の量を、例えば光検出器を使用して測定することによって、現在の光強度値を判定するように構成されている。制御ユニットは、判定された現在の光強度値が、既定の第１の光強度間隔の範囲内にある場合には、エネルギー貯蔵ユニットから第２エネルギー貯蔵ユニットへの、第１のエネルギー伝送方向を設定するように、及び、判定された現在の光強度値が、第１の光強度間隔とは異なる既定の第２の光強度間隔の範囲内にある場合には、第２エネルギー貯蔵ユニットからエネルギー貯蔵ユニットへの、第２のエネルギー伝送方向を設定するように更に構成されている。
【００１８】
これらの実施形態では、調光係数を使用して、可変の光強度値が設定されることができ、それゆえ、エネルギー伝送動作及びエネルギー伝送方向は、既定の調光係数の値又は間隔に応じて制御される。調光係数は、実際の光強度値と既定の最大光強度値との比に対応し、それゆえ、０〜１の、又は０％〜１００％の値の範囲に及ぶ。非限定的な実施例として、一部の実施形態の制御ユニットは、現在の光強度値が、最大値の２５％を上回る（すなわち、調光係数が０．２５又は２５％を上回る）場合に、外部デバイスの第２エネルギー貯蔵ユニットに電気エネルギーを供給するように、及び、光強度値が２５％以下である場合に、外部第２エネルギー貯蔵ユニットから電気エネルギーを受け取るように、エネルギー伝送を制御するべく構成されている。当然ながら、他の実施形態を形成するために、他の非重複の光強度値の間隔、及び関連するエネルギー伝送方向が、実装されることができる。
【００１９】
他の実施形態では、制御ユニットは、光源によって放出される光の現在の光色値の形式で、光出力状態を判定するように構成されている。これらの実施形態では、光源は、複数の照明要素を含み、それらの複数の照明要素は、それぞれの異なる波長スペクトルを有し、かつ個別制御可能なそれぞれの光強度値を有する光を放出するように構成されている。一部の実施形態では、好適な光源は、対応する制御可能な強度で足し合わされて、白色光を含めた広域スペクトルの色を再現することが可能な、３つの異なる色を有する光を放出するように構成されている、３つの異なる照明要素のセットを含む。対応する色を有する光を放出する照明要素のセットは、所与の照明用途の要件に従った、１つ以上の照明要素を含み得る。
【００２０】
好適な実施形態は、異なる照明要素のセットが、それぞれ、赤色光、緑色光、及び青色光を放出する、ＲＧＢカラーモデルに基づく光の放出及び制御を利用する。別の実施形態は、シアン色、マゼンタ色、及び黄色の、対応する光の放出をもたらす、照明要素を使用する。これらの実施形態では、制御ユニットは、異なる照明要素のセットの対応する現在の光強度値を使用して、現在の光色値を光出力状態として判定するように、及び、接続状態において、現在の光色値に応じてエネルギー伝送方向を設定するように構成されている。
【００２１】
このように、例えば、照明デバイスからの光の放出が所定の赤色になる、照明デバイスの夜間照明モードの検出が、接続状態における、外部第２エネルギー貯蔵ユニットへのエネルギー伝送を制御するために使用されることができる。
【００２２】
これらの実施形態のうちの一部の制御ユニットは、例えば検出された周囲光の強度又は色を使用して、１つ以上の周囲照明条件を検出及び区別するように、並びに、検出された周囲照明条件に応じて、光源によって放出される光の強度及び／又は色を制御するように、更に構成されている。このことは同様に、周囲照明条件に更に応じた、エネルギー伝送動作の、及び特にエネルギー伝送方向の、説明されるような自動制御を可能にする。すなわち、周囲照明条件は、現在の光出力状態に加えて、エネルギー伝送動作の制御のために使用される、追加的な入力を形成する。
【００２３】
例えば、低強度の周囲光は、夜間の動作の追加的な指標として、またそれゆえ確認として、使用されることができる。
【００２４】
照明デバイスの他の実施形態では、制御ユニットは、エネルギー貯蔵ユニット内に貯蔵されている電気エネルギーの量を示す、エネルギー貯蔵レベルを判定するように、更に構成されている。これらの実施形態の制御ユニットは更に、接続状態において、エネルギー貯蔵レベルに更に応じてエネルギー伝送動作を制御するように、更に構成されている。エネルギー貯蔵レベルは、これらの実施形態のうちの一部では、エネルギー貯蔵ユニットの既定の最大エネルギー貯蔵容量に対する、貯蔵されているエネルギーの相対量の指標として判定される。他の実施形態では、絶対数でのエネルギー量として判定される。非限定的な実施例として、それゆえ、制御ユニットは、有利には、エネルギー貯蔵ユニット内に貯蔵されているエネルギーが、既定の閾値を上回ると判定される場合にのみ、エネルギー貯蔵ユニットから外部電気駆動デバイスの第２エネルギー貯蔵ユニットへの、電気エネルギーのエネルギー伝送動作をトリガすることができる。それゆえ、第２エネルギー貯蔵ユニットへのエネルギー伝送動作は、その方向でのエネルギー伝送動作をトリガすることを、光出力状態が単独で支持している場合であっても、閾値を下回るエネルギー貯蔵レベルにおいて阻止される。別の実施例では、制御ユニットは、有利には、エネルギー貯蔵ユニット内に貯蔵されているエネルギーが、既定の閾値を下回る場合にのみ、外部電気駆動デバイスの第２エネルギー貯蔵ユニットによって供給されるエネルギーを使用して、エネルギー貯蔵ユニットを充電するための、電気エネルギーのエネルギー伝送動作を可能にする。このように、光出力状態の駆動制御のみに基づくと、エネルギー貯蔵ユニットを充電する不要な試みが実施されることになるが、本実施形態では、そのような不要な試みが回避されることができる。
【００２５】
照明デバイスの他の実施形態は、ユーザ入力を受信するように、及び、そのユーザ入力を示すユーザ入力信号を提供するように構成されている、ユーザインタフェースを更に備える。これらの実施形態では、制御ユニットは、ユーザ入力信号を受信するように、及び、接続状態において、受信されたユーザ入力信号に更に応じてエネルギー伝送動作を制御するように、更に構成されている。一部の変形形態では、これらの実施形態は、有利には、現在の光出力状態に基づいて、及び任意選択として、例えばエネルギー貯蔵レベルパラメータなどの、追加的な状態パラメータに更に基づいて、予め記憶されているいくつかの制御ルールから、ユーザ入力が１つ以上の制御ルールを選択することによって、外部ユーザが、エネルギー伝送動作の制御に関する制御ルールを設定することを可能にする。一部の実施形態では、ユーザインタフェースは、ユーザによって操作されるように構成されている、スイッチ又はボタンパネルを含む。
【００２６】
他の実施形態では、ユーザインタフェースは、既定の直立位置に対して照明デバイスが現在呈している傾斜角度を示す、傾斜信号として、ユーザ入力信号を生成するように構成されている、傾斜センサを含む。制御ユニットは、傾斜信号を受信するように、並びに、接続状態において、傾斜角度が、既定の第１の期間にわたって、既定の第１の角度間隔にあったことを判定すると、エネルギー伝送動作を開始するように、及び、傾斜角度が、既定の第２の期間にわたって、既定の第２の角度間隔にあったことを判定すると、エネルギー伝送動作を停止するように構成されている。第１の角度間隔及び第２の角度間隔は、好ましくは、例えば、或る１つの容器から別の容器に液体を注ぐ際に伴うジェスチャを模倣することによって、直感的なエネルギー伝送動作の制御を可能にするように選択される。傾斜センサは、好適には、１つ以上の加速度センサを含む。３つの加速度センサを使用する特定の有利な実施形態では、傾斜センサは、３次元座標空間を画定する３つの基準軸の観点から、傾斜信号としてのユーザ入力信号を生成するように構成されている。
【００２７】
他の実施形態では、制御ユニットは、現在のエネルギー伝送方向を示す出力を提供するべく、光源を制御するように、更に構成されている。これらの実施形態は、有利には、エネルギー伝送動作の現在の状態に関するフィードバックを、ユーザに提供することができる。一部の例示的実施形態では、光源は、現在のエネルギー伝送方向を識別する既定の点滅パターンに従って、点滅するように構成されている。他の実施形態では、制御ユニットは、既定の光強度又は既定の色を有する光を放出するように光源を制御する形式で、現在のエネルギー伝送方向を示す出力を提供するように構成されている。例えば、照明デバイスのエネルギー貯蔵ユニットが空状態から満杯状態に徐々に変化することに対応して、赤色から緑色に、又は温白色から冷白色に、所定のステップで色が変更されてもよい。このように、光出力は、電力再分配関係又は充電状態のいずれかについてのフィードバックを提供するように、変調されることができる。
【００２８】
本発明の第２の態様によれば、電力分配システムが提示される。電力分配システムは、
−本発明の第１の態様又は実施形態のうちの１つによる、照明デバイスと、
−電気駆動デバイスであって、
−照明デバイスの電力インタフェースに接続されるように構成されている、第２の電力インタフェースと、
−第２の電力インタフェースに接続されており、電気エネルギーを貯蔵するように、及び、照明デバイスに電力を供給し、照明デバイスから電力を受電するように構成されている、第２エネルギー貯蔵ユニットとを含む、電気駆動デバイスと、
−照明デバイスの電力インタフェースに、及び電気駆動デバイスの第２の電力インタフェースに電気的に接続して、照明デバイスのエネルギー貯蔵ユニットと電気駆動デバイスの第２エネルギー貯蔵ユニットとの間のエネルギー伝送動作を可能にするように構成されている、エネルギー伝送手段とを備える。
【００２９】
第２の態様の電力分配システムは、第１の態様及び実施形態のうちのいずれかの、照明デバイスの利点を共有している。特に、電力分配システムは、照明デバイスの現在の光出力状態に応じて、照明デバイスと電気駆動デバイスとの間のエネルギー伝送を可能にする。
【００３０】
照明デバイス及び電気駆動デバイスの双方が、電力を供給及び受電するように構成されている。しかしながら、これらの２つの動作モードは、照明デバイス又は電気駆動デバイスのいずれによっても、同時には実行されない。照明デバイスの制御ユニットは、照明デバイスの現在の光出力状態に応じた、エネルギー伝送方向（すなわち、２つのデバイス（照明デバイス又は電気駆動デバイス）のうちのいずれが、電力を供給しているか、及び、２つのデバイスのうちのいずれが電力を受信しているか）で、エネルギー伝送動作を制御する。
【００３１】
一実施形態では、電力分配システムは、第２の照明デバイスを、電気駆動デバイスとして備える。第２の照明デバイスは、エネルギー伝送手段を介して照明デバイスに接続される。
【００３２】
エネルギー伝送手段としての、両端部にコネクタを有するケーブルの使用が、多くの用途シナリオにおいて好適であるが、必須要件ではない。好適なエネルギー伝送手段はまた、ケーブルの代わりに、好適に作製されている回路基板を介した接続を利用することもできる。その場合、エネルギーは、印刷導体経路を介して伝導されることができる。第１の電力インタフェース及び第２の電力インタフェースは、プラグ及びソケット型のコネクタを含んでもよい。このことは、ユーザが、必要な場合にのみ、特にエネルギー伝送のために、照明デバイスと電気駆動デバイスとを接続すること、及び、他の時には、これらのデバイスを互いに別個に動作させることを可能にするという利点を有する。しかしながら、他の用途の場合には、電力インタフェースを介した照明デバイスと電気駆動デバイスとの接続は、固定接続として達成されることができる。固定接続の分離は、照明デバイスの一般ユーザの技量を超えた、技術的専門知識を必要とする。
【００３３】
特にモバイル照明デバイスに関して有用である、電力分配システムの一部の実施形態では、電力インタフェース及び第２の電力インタフェースは、好ましくはＵＳＢ  Ｔｙｐｅ  Ｃコネクタユニットの形態の、ＵＳＢインタフェースを含む。エネルギー伝送手段は、対応するＵＳＢ  Ｔｙｐｅ  Ｃコネクタユニットに接続するための２つのＵＳＢ  Ｔｙｐｅ  Ｃコネクタを有する、ＵＳＢ  Ｔｙｐｅ  Ｃケーブルを含む。
【００３４】
本発明の第３の態様によれば、本発明の第１の態様又は実施形態のうちの１つの照明デバイスの動作を制御するための方法が提供される。換言すれば、本方法によって動作が制御される照明デバイスは、電力によって駆動されるように構成されている光源と、電力インタフェースに接続されることが可能な、外部電気駆動デバイスとのエネルギー伝送のための電力インタフェースと、エネルギー貯蔵ユニットであって、電気エネルギーを貯蔵するように、並びに、光源及び電力インタフェースに電力を供給し、電力インタフェースの接続状態において、エネルギー貯蔵ユニットと外部電気駆動デバイスの外部第２エネルギー貯蔵ユニットと、の間のエネルギー伝送動作を可能にするように構成されている、エネルギー貯蔵ユニットとを有する。第３の態様の方法は、
−電力インタフェースが、接続状態にあるか否かを判定するステップと、
−照明デバイスの現在の出力の光出力状態を判定するステップと、
−接続状態において、照明デバイスの現在の光出力状態に応じたエネルギー伝送方向に、エネルギー伝送動作を制御するステップとを含む。
【００３５】
第３の態様の方法は、本発明の第１の態様又は実施形態のうちの対応する１つの照明デバイスの利点を共有している。
【００３６】
本方法の一部の実施形態は、
−エネルギー貯蔵ユニット内に貯蔵されている電気エネルギーの量を示す、エネルギー貯蔵レベルを判定するステップと、
−接続状態において、エネルギー貯蔵レベルに更に応じて、エネルギー伝送動作を制御するステップとを、更に含む。
【００３７】
本方法の他の実施形態では、光出力状態を判定するステップは、
−照明デバイスの現在の出力状態を、エネルギー貯蔵ユニットから光源に電力が供給されないオフ状態、及び、エネルギー貯蔵ユニット内に貯蔵されたエネルギーを使用して、光源が駆動されるオン状態のうちの一方として判定するステップ、又は、
−照明デバイスの光源の現在の光強度を判定するステップ、又は、
−照明デバイスの光源の現在の光色を判定するステップを含む。
【００３８】
更に他の実施形態では、本方法は、現在のエネルギー伝送方向を示す出力を提供するように、光源を制御するステップを更に含む。
【００３９】
第４の態様によれば、照明デバイスの動作を制御するためのコンピュータプログラムが提供され、このコンピュータプログラムは、コンピュータのプロセッサによって実行される場合に、第３の態様又は実施形態のうちの１つによる方法を実行するための、実行可能コードを含む。第３の態様の方法と同様に、コンピュータプログラムは、第１の態様又は実施形態のうちのいずれかの、照明デバイスの利点を共有している。
【００４０】
請求項１に記載の照明デバイス、請求項９に記載の電力分配システム、請求項１１に記載の照明デバイスの動作を制御するための方法、及び請求項１５に記載のコンピュータプログラムは、特に、従属請求項において定義されるように、同様及び／又は同一の好ましい実施形態を有する点が理解されよう。
【００４１】
本発明の好ましい実施形態はまた、従属請求項又は上記の実施形態と、対応する独立請求項との、任意の組み合わせとすることもできる点が理解されよう。
【００４２】
本発明のこれらの態様及び他の態様は、以降で説明される実施形態から明らかとなり、それらの実施形態を参照して解明されるであろう。
【図面の簡単な説明】
【００４３】
以下の図面において、
【図１】外部電気駆動デバイスに接続されている照明デバイスの第１の実施形態を備える、電力分配システムの一実施形態を表すブロック図を示す。
【図２】外部電気駆動デバイスに接続されている照明デバイスの第２の実施形態を備える、電力分配システムの別の実施形態を表すブロック図を示す。
【図３】外部電気駆動デバイスに接続されている照明デバイスの第３の実施形態を備える、電力分配システムの別の実施形態を表すブロック図を示す。
【図４】照明デバイスの動作を制御するための方法の一実施形態を表す、フロー図を示す。
【図５】照明デバイスの動作を制御するための方法の別の実施形態を表す、フロー図を示す。
【図６】照明デバイスの動作を制御するための方法の別の実施形態を表す、フロー図を示す。
【発明を実施するための形態】
【００４４】
図１は、照明デバイス１００に関連して外部デバイスを形成する電気駆動デバイス１０２に接続されている、照明デバイス１００の一実施形態を備える、電力分配システム１２０の一実施形態を表すブロック図を示す。
【００４５】
照明デバイス１００は、電力によって駆動されるように構成されている、光源１０４を含む。光源１０４は、本実施形態では、発光ダイオード、レーザダイオード、又は他の電気駆動照明要素などの複数の照明要素で作製されている、照明ユニットである。本発明によれば、照明デバイス１００は、照明機能に加えて、電力分配システム１２０における電力分配のための、双方向エネルギー伝送動作をサポートする。この目的のために、照明デバイス１００はまた、電気エネルギーを貯蔵するように、及び、照明機能を駆動するために光源に電力を供給し、電気駆動デバイス１０２への貯蔵エネルギーの伝送のために電力インタフェース１０８に電力を供給するように構成されている、エネルギー貯蔵ユニット１０６も含む。エネルギー貯蔵ユニット１０６は、１つ以上の再充電可能バッテリ又はコンデンサを含む。
【００４６】
照明デバイス１００の電力インタフェース１０８は、エネルギー貯蔵ユニット１０６と電気駆動デバイス１０２の第２エネルギー貯蔵ユニット１１０との間のエネルギー伝送動作を、エネルギー貯蔵ユニットが電力インタフェース１０８、エネルギー伝送手段１１４、及び電気駆動デバイスの第２の電力インタフェース１１２を介して互いに接続されている場合に、可能にするように構成されている。電力インタフェース１０８と電力インタフェース１１２とを好適に接続するためのエネルギー伝送手段１１４は、デバイス１００とデバイス１０２との間で充電電流を搬送するために好適な、電気コネクタ又はケーブルである。
【００４７】
照明デバイス１００は、照明デバイス１００と電気駆動デバイス１０２との間のエネルギー伝送動作を制御するための、制御ユニット１１６を更に含む。特に、制御ユニット１１６は、電力インタフェース１０８が接続状態にあるか否かを判定するように構成されている。制御ユニットは、例えば、電力インタフェースを介した電気駆動デバイスへの電気的接続を、機械的又は電気的に検出するように構成されている。電気的検出は、電力インタフェース１０８の１つ以上のインタフェースポートに電気試験信号を印加して、試験信号に対する受信された応答から、電気駆動デバイス１０２への電気的接続が確立されているか否かを判定することによって、実行されることができる。
【００４８】
電気駆動デバイス１０２は、例えば、スマートフォンなどのモバイルコンピューティングデバイス、又はモバイルエネルギー貯蔵デバイス、又は別の照明デバイスである。電気駆動デバイス１０２はまた、必要な場合に電気エネルギーとして供給するためにエネルギーが貯蔵されることが可能な、エネルギー貯蔵ユニット１１０も有する。電気駆動デバイス１０２は、照明デバイス１００の更なるコピーとすることができる。しかしながら、このことは必須要件ではない。互いに接続されているデバイスのうちの一方のみが、制御ユニット１１６を有することで十分である。それゆえ、エネルギー伝送動作の制御は、照明デバイス１００の制御ユニット１１６のみを使用して達成されることができるため、電気駆動デバイス１０２は、動作制御のための、やや簡略化された制御ユニットを有して作製されることができる。
【００４９】
照明デバイス１０の制御ユニット１１６は、照明デバイス１００の現在の光出力状態を判定するように、及び、接続状態において、照明デバイス１００の現在の光出力状態に応じたエネルギー伝送方向に、エネルギー伝送動作を制御するように構成されている。
【００５０】
特に、制御ユニット１１６は、照明デバイス１００の現在の光出力状態を、オフ状態及びオン状態のうちの一方として判定するように構成されている。オフ状態では、エネルギー貯蔵ユニット１０６から光源１０４に電力が供給されず、それゆえ、光源１０４から光が放出されない。オン状態では、光源１０４は、エネルギー貯蔵ユニット１０６内に貯蔵されたエネルギーを使用して、光を放出するように駆動される。制御ユニット１１６は、エネルギー貯蔵ユニットから光源への電力の供給を検出することによって、オン状態を検出するように構成されている、電力供給検出器（図示せず）を含む。電力供給検出器の単純な実施例は、エネルギー貯蔵ユニット１０６から光源１０４への電力供給をオン又はオフにするための、照明デバイス１００の電源スイッチ（図示せず）の切り替え状態を判定する。ユーザ操作のために、又は内部自動制御のために、あるいは、ユーザ操作及び自動制御の双方を可能にするために好適な、種々のタイプのそのような電源スイッチが、この文脈で使用されることができる。
【００５１】
制御ユニット１１６はまた、現在の光出力状態がオン状態である場合には、エネルギー貯蔵ユニット１０６から第２エネルギー貯蔵ユニット１１０へのエネルギーの供給に対応する、第１のエネルギー伝送方向を設定するように、及び、現在の出力状態がオフ状態である場合には、第２エネルギー貯蔵ユニット１１０からエネルギー貯蔵ユニット１０６へのエネルギーの供給に対応する、第２のエネルギー伝送方向を設定するようにも構成されている。
【００５２】
それゆえ、照明デバイス１００は、有利には、照明デバイスの光出力状態がオン状態であり（すなわち、光源が駆動されており）、かつ電力インタフェース１０８が接続状態にあることを、制御ユニット１１６が判定する場合に、電気駆動デバイス１０２に電気エネルギーを供給するように構成されている。その一方で、照明デバイスの光出力状態がオフ状態であり（すなわち、光源が駆動されておらず）、かつ電力インタフェース１０８が接続状態にあることを、制御ユニット１１６が判定する場合、制御ユニット１１６は、電力インタフェース１０８を介して電気駆動デバイス１０２から供給される電気エネルギーを使用して、エネルギー貯蔵ユニット１０６を充電することに切り替える。
【００５３】
照明デバイス１００の変形形態は、反対の制御モードで動作する。変形形態は、照明デバイスの光出力状態がオフ状態であることを、制御ユニット１１６が判定する場合に、電気駆動デバイス１０２に電気エネルギーを供給するように、及び、照明デバイス１００の光出力状態がオン状態であることを、制御ユニット１１６が判定する場合に、電気駆動デバイス１０２から供給される電気エネルギーを使用して、エネルギー貯蔵ユニット１０６を充電するように構成されている。
【００５４】
照明デバイス１００の更なる変形形態では、制御ユニット１１６は、エネルギー貯蔵ユニット１０６内に貯蔵されているエネルギーの量を示す、エネルギー貯蔵レベルを判定するように更に構成されている。制御ユニットは、接続状態において、エネルギー貯蔵レベルに更に応じて、エネルギー伝送動作を制御するように更に構成されている。照明デバイスのこの制御ユニット１１６は、有利には、現在の光出力状態に応じるばかりではなく、エネルギー貯蔵レベルにも応じて、エネルギー伝送動作を制御する。例えば、また非限定的な実施例として、照明デバイスは、制御ユニットによって判定されるエネルギー貯蔵レベルが、例えばエネルギー貯蔵ユニット１０６の最大貯蔵容量の２５％などの、予め設定された閾値を上回る限りは、照明デバイスがオン状態にあり、かつ電力インタフェース１０８が接続状態にある場合に、エネルギー貯蔵ユニット１０６から電気駆動デバイス１０２の第２エネルギー貯蔵ユニット１１０に、エネルギーを伝送するように構成されることができる。エネルギー貯蔵レベルが、予め設定された閾値を下回ることが判明した場合には、制御ユニット１１６は、電気駆動デバイス１０２によってエネルギー貯蔵ユニット１０６が充電されるように、エネルギー伝送方向を制御する。それゆえ、充電に関するデフォルトの動作モードは、入力モードであり、出力モードは、光出力状態に関わりなく、エネルギー貯蔵レベルがエネルギーレベル閾値を下回る限りは、提供されることがない。
【００５５】
光出力状態とエネルギー貯蔵レベルとの他の組み合わせが、エネルギー伝送の方向を決定するために使用されることができる。
【００５６】
他の照明デバイスでは、制御ユニット１１６はまた、現在のエネルギー伝送方向を示す出力を提供するべく、光源１０４又はインジケータライトを制御するように構成されている。１つの非限定的な可能性は、照明デバイス１００が現在、電気駆動デバイス１０２にエネルギーを供給している場合に、光源１０４又はインジケータライトが、特定の周波数で点滅することである。照明デバイス１００がエネルギーを受け取る場合は、より緩徐に点滅する。
【００５７】
制御ユニット１１６はまた、例えば、照明デバイス１００のエネルギー貯蔵ユニットのエネルギー貯蔵レベルが、空から満杯に移行する際、検出されるエネルギー貯蔵レベルに応答して、光出力の色若しくは色温度を適合させるように、光源又はインジケータライトを使用することもできる。
【００５８】
エネルギー伝送手段１１４は、一部の電力分配システムでは、それぞれの対応する端部に１つのコネクタを有する、導電体のセットを含み、エネルギー伝送方向は、本来、コネクタ又は導電体によって予め規定されるものではない。そのようなエネルギー伝送手段の、特定の有利な実施例は、２つのＵＳＢ  Ｔｙｐｅ  Ｃコネクタ（図示せず）を有するＵＳＢ−Ｃパッチケーブルなどの、ＵＳＢ  Ｔｙｐｅ  Ｃケーブルである。この実施例では、照明デバイスの電力インタフェース、及び電気駆動デバイスの第２の電力インタフェースは、それぞれ、ＵＳＢ  Ｔｙｐｅ  Ｃコネクタユニットを含む。ＵＳＢ−Ｃ雌型ジャックの形態の電力インタフェース１０８は、照明デバイス１００内に一体化されることができ、同様に、充電器、バッテリパック、モバイルデバイス、ラップトップ、モニタ、スマートフォン、及びドッキングステーションのような、多様なタイプの電気駆動デバイス１０２においても一体化されることができる。ＵＳＢ  Ｔｙｐｅ  Ｃコネクタは、最大１００Ｗを有するエネルギー伝送をサポートする。ＵＳＢ電圧は、接続時間の最初に開始する、ネゴシエーション段階の間に設定される。接続された各デバイスは、それぞれ、使用可能な電圧及び電力のレベルを広告して、特定の電圧及び電力を要求する。
【００５９】
ＵＳＢ  Ｔｙｐｅ  Ｃコネクタを使用することはまた、コネクタが小型であり、最大でＵＳＢ３．１データ転送速度をサポートするばかりではなく、極めて頑丈でもあるため、有益である。コネクタは、いずれの方向でも嵌合するように、対称である。比較すると、初期のＵＳＢ接続は、典型的には、明確なホスト及びスレーブ側を有する、一方向性のものであった。それはまた、ＵＳＢ充電用途では、接続の時点で、いずれの方向に充電電流が流れることになるかが明らかになることも意味していた。
【００６０】
照明デバイスの電力インタフェースに、及び電気駆動デバイスの第２の電力インタフェースに、電気的に接続するように構成されている、他のエネルギー伝送手段は、２つのバレルコネクタ、及びパッチケーブルを含む。バレルコネクタは、典型的には、データ接続が必要とされない場合に、電気機器に給電又は充電するために適用され、典型的には、外側位置の接地極、内側位置の電圧極、及び中心位置の信号通信極の、３つの極が設けられている。本発明による一部の照明デバイスは、有利には、信号通信極、及び対応するパッチの信号通信線を使用して、エネルギー伝送方向を信号通信するように構成されている。
【００６１】
それゆえ、照明デバイス１００は、電力分配のための主グリッドが利用可能でないか、又は信頼できない状況において、容易に習得可能な電力分配を可能にする点で、特に有利である。この場合、照明デバイス１００は、電力インタフェース１０８を介して、内部エネルギー貯蔵ユニット１０６を充電すること、並びに、電力インタフェース１０８を介して、電気駆動デバイス１０２の形態の別の電気機器を充電するために、何らかのエネルギーを転送することを可能にする。例えばソーラーパネルベースのランプの形態の、そのような照明デバイスは、ボタンなどのユーザインタフェース構成要素さえも必要とするものではなく、双方向電力インタフェース１０８を介して電気駆動デバイス１０２と接続される場合に、エネルギー伝送方向の、すなわち、照明デバイスが充電しているか又は充電されているかの、自動制御を可能にする。このことにより、極めて低コストの照明デバイスを提供することが可能となる。
【００６２】
図２は、エネルギー伝送手段１１４を介して電気駆動デバイス１０２に接続されている、照明デバイス２００の別の実施形態を表すブロック図を示す。照明デバイス２００、電気駆動デバイス１０２、及びエネルギー伝送手段１１４は、本発明による例示的な電力分配システム２２０を形成している。
【００６３】
照明デバイス２００は、図１を参照して論じられた照明デバイス１００と、いくつかの特徴を共有しており、それゆえ、同じ参照符号を共有する。以下の考察では、照明デバイス２００を照明デバイス１００から区別する特徴について、特に重点が置かれる。
【００６４】
例えばソーラーパネルベースのランプのような、図１の実施形態の特定の変形形態は、ユーザインタフェース構成要素を必要としないが、しかしながら、本実施形態は、ユーザインタフェース２０２を有する。照明デバイス２００の制御ユニット２１６は、ユーザインタフェース２０２に更に接続されている。ユーザインタフェース２０２は、ユーザ入力を受信するように、及び、ユーザ入力を示すユーザ入力信号を、制御ユニット２１６に提供するように構成されている。次いで、制御ユニット２１６は、接続状態において、受信されたユーザ入力に更に応じて、照明デバイス２００のエネルギー貯蔵ユニット１０６と、電気駆動デバイス１０２の第２エネルギー貯蔵ユニット１１０との間の、エネルギー伝送動作を制御する。
【００６５】
ユーザインタフェースにおける入力を介して、照明デバイス２００のユーザは、それゆえ、エネルギー伝送動作を外部から制御してもよい。次いで、制御ユニット２１６は、光出力状態とユーザ入力信号との組み合わせに応じて、エネルギー伝送方向を決定する。照明デバイス２００が、エネルギー貯蔵レベルに更に応じてエネルギー伝送方向を決定する、制御ユニット２１６を有する場合には、更なる利点が達成されることができる。
【００６６】
ユーザインタフェース２０２は、例えば、ユーザによって操作されることが可能であり、かつ所望のエネルギー伝送方向を、またそれゆえ、照明デバイス２００から電気駆動デバイス１０２にエネルギーを供給するための出力モード、又は照明デバイス１００において電気駆動デバイス１０２からエネルギーを受け取るための入力モードを、予め選択するように構成されている、スイッチ、ボタン、若しくはボタンパネルである。これらのデバイスのうちの一部では、ユーザインタフェースは、エネルギー伝送が所望されないことを示すユーザ入力を、更に処理することができる。
【００６７】
一部の照明デバイスでは、ユーザインタフェース２０２は、直立位置に対する照明デバイス２００の傾斜角度を示す傾斜信号として、ユーザ入力信号を生成するように構成されている、傾斜センサ（図示せず）を含む。制御ユニット２１６は、傾斜信号を受信するように、及び、接続状態において、傾斜角度が、既定の第１の期間にわたって、既定の第１の角度間隔にあることを判定すると、エネルギー伝送動作を開始するように構成されている。制御ユニットはまた、傾斜角度が、既定の第２の期間にわたって、第１の角度間隔とは異なる既定の第２の角度間隔にあることを判定すると、エネルギー伝送動作を停止するようにも構成されている。好ましくは、傾斜センサは、好ましくは３つの軸に対する傾斜を判定するように構成されている、加速度センサを含む。
【００６８】
これらの照明デバイスでは、ユーザインタフェースは、ジェスチャ制御されることができ、エネルギー伝送動作のトリガは、或る１つの容器から別の容器に液体を注ぐことと同様に、直感的に実行されることができる。ユーザがデバイスを傾斜させることにより、傾斜センサ（例えば、加速度センサ）が、制御ユニット２１６に傾斜信号を提供する。制御ユニットが、現在の傾斜角度が既定の第１の角度間隔にあることを判定すると、時間測定が開始される。傾斜角度が、既定の期間にわたって第１の角度間隔の範囲内に留まる場合には、制御ユニット２１６は、接続状態もまた検出される場合には、エネルギー伝送動作を開始するように構成されている。
【００６９】
第１の角度間隔は、例えば、照明デバイス２００から電気駆動デバイス１０２への伝送エネルギーをトリガするための、１０°〜３０°の範囲の傾斜角度値のみに及ぶものであってもよく、この方向でのエネルギー伝送を停止するための、及び／又は電気駆動デバイス１０２から照明デバイスへのエネルギーの伝送をトリガするための、４５°〜８０°の傾斜角度値のみに及ぶものであってもよい。他の実施形態では、第１の角度間隔及び第２の角度間隔は異なっている。
【００７０】
進行中のエネルギー伝送動作を単に停止することは、別のタイプのユーザ入力に基づいてトリガされることができる。例えば、制御ユニットは、傾斜角度が、既定の第２の期間にわたって、既定の第２の角度間隔にあったことを判定すると、エネルギー伝送動作を停止する。
【００７１】
図３は、エネルギー伝送手段１１４を介して電気駆動デバイス３０２に接続されている、照明デバイス３００を示す。照明デバイス３００、電気駆動デバイス３０２、及びエネルギー伝送手段１１４は、本発明による例示的な電力分配システム３２０を形成している。
【００７２】
エネルギー伝送手段は、電力インタフェース３０８と第２の電力インタフェース３１２とを電気的に接続する、ＵＳＢ  Ｔｙｐｅ  Ｃケーブルである。照明デバイス３００は、この場合には、同じ垂直軸線Ｌ上に位置Ａ及び位置Ｂを有することによって規定される、直立位置で示されている。注ぎ口を有する水差しなどの或る１つの容器から、別の容器に液体を注ぐこととの類似性に従って、電力インタフェース３０８は、照明デバイス３００において、照明デバイスの「注ぎ口」として比喩的に見なされてもよい。傾斜センサ（図示せず）が、既定の第１の期間にわたって、既定の第１の角度間隔内の傾斜角度θを有する（矢印によって示されるような）電力インタフェース３０８に向けた傾斜（以下では、ジェスチャａと称されるもの）を検出した場合には、照明デバイスから電動駆動デバイスへの、エネルギー伝送動作が（接続状態において）開始される。サンプル平面内ではあるが、他のエネルギー伝送方向に（すなわち、電力インタフェース３０８から離れる方向に）、既定の第２の期間にわたって、既定の第２の角度間隔内の傾斜角度φで、照明デバイスを傾斜させること（以下では、ジェスチャｂと称されるもの）は、エネルギー伝送動作を終了させることになる。一部の照明デバイスでは、エネルギー伝送動作、及び方向は、ジェスチャのタイプ（ジェスチャａ又はジェスチャｂ）に応じて、並びに、エネルギー伝送動作の実際の状態及び方向に応じて、制御ユニットによって決定される。明確性のために、照明デバイス３００から電気駆動デバイス３０２へのエネルギー伝送動作は、エネルギー伝送方向ａを有するものと称される。反対に、電気駆動デバイス３０２から照明デバイス３００へのエネルギー伝送動作は、エネルギー伝送方向ｂを有するものと称される。種々の可能性及び結果として得られるエネルギー伝送方向の特定の実施例が、表１に示される。
【００７３】
【表１】
2020527281.tif 000003
表１：ユーザ入力ジェスチャ、エネルギー伝送動作の現在の状態、及び現在のエネルギー伝送方向の関数としての、結果として得られる動作（電力インタフェース３０８は接続状態）。
【００７４】
図４は、図１を参照して説明された照明デバイス１００などの、照明デバイスの動作を制御するための方法４００の一実施形態を表す、フロー図を示す。それゆえ、照明デバイスは、電力によって駆動されるように構成されている、光源と、エネルギー貯蔵ユニットであって、電力インタフェースを介して電力を受電し、受電された電力を電気エネルギーとして貯蔵するように、並びに、貯蔵された電気エネルギーを、電力として光源に、及び、接続状態において、エネルギー貯蔵ユニットと、電力インタフェースに接続されることが可能な、外部電気駆動デバイスの外部第２エネルギー貯蔵ユニットとの間の、エネルギー伝送動作を可能にするように構成されている電力インタフェースに、供給するように構成されている、エネルギー貯蔵ユニットとを有する。方法４は、ステップ４０２で、電力インタフェースが接続状態にあるか否かを判定する。次いで、ステップ４０４で、照明デバイスの現在の光出力状態を判定し、次いで、ステップ４０６で、本方法は、接続状態において、照明デバイスの現在の光出力状態に応じたエネルギー伝送方向に、エネルギー伝送動作を制御する。
【００７５】
方法４００の異なる実施例では、照明デバイスの現在の光出力状態を判定するステップ４０４は、以下のステップのうちの１つを伴う。
−照明デバイスの現在の出力状態を、エネルギー貯蔵ユニットから光源に電力が供給されないオフ状態、及び、エネルギー貯蔵ユニット内に貯蔵されたエネルギーを使用して光源が駆動されるオン状態のうちの一方として判定するステップ、又は、
−制御可能な光強度値を有する光を放出するように構成されている光源の、現在の光強度値を判定するステップ、又は、
−光源の複数の照明ユニットの、それぞれの現在の光強度値を使用して、現在の光色値を判定するステップであって、複数の照明ユニットが、それぞれの異なる波長スペクトルの、それぞれの制御可能な光強度値を有する光を放出するように構成されている、ステップ。
【００７６】
図５は、エネルギー貯蔵ユニット内に貯蔵されている電気エネルギーの量を示す、エネルギー貯蔵レベルを判定するように構成されている制御部を有する、照明デバイスの動作を制御するための方法５００の、別の実施形態を表すフロー図を示す。方法５００は、図４を参照して説明されたステップ４０２及びステップ４０４を含む。更には、方法５００は、ステップ５０２で、エネルギー貯蔵ユニット内に貯蔵されている電気エネルギーの量を示す、エネルギー貯蔵レベルを判定し、次いで、ステップ５０４で、接続状態において、光出力状態及びエネルギー貯蔵レベルの双方に応じて、エネルギー伝送動作を制御する。
【００７７】
図６は、照明デバイスの動作を制御するための方法６００の別の実施形態を表す、フロー図を示す。方法６００は、図４を参照して説明されたステップ４０２、ステップ４０４、及びステップ４０６を実行する。方法６００は、現在のエネルギー伝送方向を示す出力を提供するように、光源を制御するステップを更に含むことを伴う、ステップ６０２を更に含む。
【００７８】
請求項では、単語「備える（comprising）」は、他の要素又はステップを排除するものではなく、不定冠詞「１つの（a）」又は「１つの（an）」は、複数を排除するものではない。
【００７９】
単一のステップ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。
【００８０】
請求項中のいかなる参照符号も、範囲を限定するものとして解釈されるべきではない。
【図１】
2020527281.tif 000004
【図２】
2020527281.tif 000005
【図３】
2020527281.tif 000006
【図４】
2020527281.tif 000007
【図５】
2020527281.tif 000008
【図６】
2020527281.tif 000009
【国際調査報告】
2020527281.tif 000010
2020527281.tif 000011
2020527281.tif 000012